(57)【要約】【課題】シート本体の柔軟性を確保しつつ、シート本体に設けた着脱部位を位置合わせすることなく、容易に繰り返し着脱できて、シート本体を被覆対象物に密着させて、被覆対象物を確実に被覆できるようにする。【解決手段】所定形状に切断加工されたシート本体２と、該シート本体２の全面または一部に設けられた粘着層３とを備える。【選択図】図１
2015035859.tif 000002
【特許請求の範囲】
【請求項１】
所定形状に切断加工されたシート本体と、
該シート本体の全面または一部に設けられた粘着層とを備えたことを特徴とする防護用シート。
【請求項２】
前記粘着層は、シート本体の周縁部を除く位置に配置されることを特徴とする請求項１に記載の防護用シート。
【請求項３】
前記粘着層は、ゲル状の粘着シートで構成されることを特徴とする請求項１または２に記載の防護用シート。
【発明の詳細な説明】
【技術分野】
【０００１】
本発明は、例えば、電柱に架設されている電線、電柱に装柱されている電気機器、腕金などの被覆対象物を覆って絶縁する防護用シートに関する。
【背景技術】
【０００２】
従来より、架空配電線路において活線作業を行う場合は、安全のために、被覆対象物（高圧充電部および接地部等）に、絶縁性を有する防護用シートを被せて活線作業を行っている。そして、被覆対象物に防護用シートを被せる場合、近年では、遠隔から操作できる間接活線工事用把持具（所謂ヤットコ）を用いて活線部分に直接触れることなく、活線作業が広く行われている。この作業に適した防護用シートが種々提案されている。
【０００３】
従来のこの種の防護用シートについて、図８および図９を参照して説明する。なお、これらの図を正面から見て、図面の上下左右を、シート本体の上下左右とし、図面の下側をシート本体の一方とし、図面の上側をシート本体の他方とする。
【０００４】
従来の防護用シート６は、図８に示すように、絶縁性を有する平面視矩形状のシート本体６０と、一対の長手方向の側縁部に沿って内設された芯材６１，６１とを備えたものが知られている。
【０００５】
シート本体６０の一対の側縁部の中央部には、第１の突片６２，６２が設けられている。また、一方の第１の突片６２の内面には、面ファスナＦが設けられている。また、他方の第１の突片６２には、一対の小片の第２の突片６３，６３が設けられ、該第２の突片６３，６３の外面には、面ファスナＦが設けられている。また、一方の側縁部の両側部には、一対の帯６４，６４が設けられている。この帯６４，６４には、面ファスナＦが設けられている。また、シート本体６０の中央部には、間接活線工事用把持具（図示せず）によって引っ掛けられる引掛部６５が設けられている。なお、面ファスナＦは、上記以外の箇所、すなわちシート本体６０の中央部、左右の両側部にそれぞれ設けられている。
【０００６】
また、他の防護用シート７は、例えば、図９に示すように、絶縁性を有する矩形状のシート本体７０と、該シート本体７０の周縁部に沿うように内設された芯材７１とを備えている。また、シート本体７０には、長手方向の中心線を折り目Ａとして二つ折りした際に、対向する上下の内面が閉じられるように、シート本体７０の内面の長辺および短辺の対向部位に、矩形状の第１の面ファスナＦ１が適宜配置されている。また、シート本体７０には、シート本体７０の一方の側縁部に、正方形状の第３の面ファスナＦ３を備えた複数（３本）の帯７２が取り付けられている。また、シート本体７０の他方の側縁部の外面の、シート本体７０の第３の面ファスナＦ３に対応した位置に、第３の面ファスナＦ３と同一形状の第２の面ファスナＦ２が複数（３本）配置されている（特許文献１参照）。
【０００７】
そして、前記特許文献１の防護用シート７は、例えば、電柱に架設されている電線Ｃを被覆する場合、まず、図１０（ａ）に示すように、２つの間接活線工事用把持具Ｔ，Ｔを用いてシート本体７０の両側端部を挟持する。
【０００８】
つぎに、シート本体７０を電線Ｃの上方に持ち上げた後、図１０（ｂ）に示すように、長手方向の中心線（折り目Ａ）が電線Ｃに沿うように、電線Ｃの上側からシート本体７０を覆い被せる。この際、シート本体７０は二つ折りになり、シート本体７０の内面同士が対向するようになる。
【０００９】
そして、２つの間接活線工事用把持具Ｔ，Ｔを用いて、二つ折りされて引っ掛けられた状態のシート本体７０の端縁部を引っ張って揃える。すなわち、対向する第１の面ファスナＦ１が確実に係合できるように、第１の面ファスナＦ１の位置合わせを行う。
【００１０】
その後、図１０（ｃ）に示すように、２つの間接活線工事用把持具Ｔ，Ｔを用いてシート本体７０の両側を外側から押圧すると、シート本体７０の互いの内面に配置された第１の面ファスナＦ１，Ｆ１同士が係合して、電線Ｃに対してシート本体７０を固定できるようになる。
【００１１】
さらに、図１０（ｄ）に示すように、２つの間接活線工事用把持具Ｔ，Ｔを用いて、シート本体７０の帯７２を巻き上げて、シート本体７０の第２の面ファスナＦ２に、第３の面ファスナＦ３を係合させて、電線Ｃに対してシート本体７０をより強固に固定している。
【先行技術文献】
【特許文献】
【００１２】
【特許文献１】実開平７−９０１１号公報
【発明の概要】
【発明が解決しようとする課題】
【００１３】
前記従来の防護用シートの取付作業は、いずれの場合も、シート本体を二つ折りにして被覆対象物に引っ掛けた後、二つ折りされて引っ掛けられた状態のシート本体の端縁部を、間接活線工事用把持具を用いて引っ張って揃える。すなわち、対向する面ファスナが確実に係合できるように、対向する面ファスナの位置合わせを行う。そして、端縁部が揃えられたシート本体において、対向する面ファスナ同士を面接触させるべく、二つ折りされたシート本体の外面を、間接活線工事用把持具を用いて押圧するという手順で行われている。
【００１４】
上述したこれらの作業は、間接活線工事用把持具を用いて、遠隔（被覆対象物に対して斜め下方の位置）から行うことになるが、その作業は、非常に煩雑であり、高度な技術が必要になる。例えば、面ファスナ自体が硬くて、対向する面全体を十分に係合させるのが難しい。このため、面ファスナ同士が確実に係合されていない場合は、シート本体が被覆対象物から滑落してしまう場合もある。また、面ファスナとしては、着脱する際の労力を考慮して帯状のものが多く使用されているため、その接触面積が小さく、一対の面ファスナが確実に係合できるように、シート本体を遠隔から操作して、一対の面ファスナを位置合わせするのが難しい。また、面ファスナがシート本体に設けられることで、元々持っていたシート本体の柔軟性が低くなってしまい、被覆対象物に対するシート本体の密着性がより低下してしまうことになる。
【００１５】
また、例えば、強風の場合、シート本体を被覆対象物に引っ掛けづらく、辛うじて引っ掛けたとしても、被覆対象物とシート本体との間に隙間が生じて、この隙間に風が入り込んで、シート本体の端縁部が風圧によって捲れあがり、面ファスナ同士を係合させるのが困難になる。また、風圧を受けながら面ファスナを係合させた場合、シート本体に膨らみが生じるため、面ファスナを引っ張った状態で係合させることになり、シート本体に皺が生じることもある。
【００１６】
このような場合、シート本体は、被覆対象物を被覆した状態であっても、風圧によって被覆対象物から浮き上がり、所望する被覆位置からずれてしまうことになる。また、シート本体が被覆対象物を被覆する位置からずれてしまうと、被覆対象物の一部が露出してしまい、被覆対象物に対する絶縁性を確保できなくなる。
【００１７】
上述したように、いずれの防護用シートも、被覆対象物に対してシート本体を固定する場合、シート本体に面ファスナが設けられることで、シート本体およびシート本体の係合部位の柔軟性が低下することになり、加えて、シート本体が被覆対象物に対して密着していない状態のまま、面ファスナの位置合わせ作業と、面ファスナの係合作業とを遠隔から行うため、多大の労力と時間を要するという問題がある。
【００１８】
そこで、本発明は、上記課題に鑑み、シート本体の柔軟性を確保しつつ、シート本体に設けた着脱部位を位置合わせすることなく、容易に繰り返し着脱できて、シート本体を被覆対象物に密着させて、被覆対象物を確実に被覆できる防護用シートを提供することを目的とする。
【課題を解決するための手段】
【００１９】
本発明に係る防護用シートは、所定形状に切断加工されたシート本体と、該シート本体の全面または一部に設けられた粘着層とを備えたことを特徴とする。
【００２０】
かかる構成によれば、シート本体の全面または一部に粘着層を設けているため、シート本体を被覆対象物に直接接着することができる。また、粘着層は、面ファスナに比較して柔軟性があるため、シート本体の柔軟性を確保できて、被覆対象物に対する密着性が高くなる。したがって、シート本体と被覆対象物との間に隙間が形成されず、風圧による影響を受けることがなく、シート本体に皺を生じることもなく、被覆対象物に対してシート本体をきれいに固定できる。また、粘着層は、粘着層同士の着脱と、シート本体および被覆対象物に対する着脱とを、繰り返し容易に行うことができるので、被覆対象物への引っ掛け作業、被覆対象物に引っ掛けた際の、被覆対象物に対するシート本体の位置合わせ、被覆対象物に引っ掛けられて二つ折りされた状態における、対向する粘着層の位置合わせを容易に行うことができる。
【００２１】
また、本発明に係る防護用シートの一態様として、前記粘着層は、シート本体の周縁部を除く位置に配置されるような構成を採用することもできる。
【００２２】
この場合、被覆対象物に対する粘着層の接触面積が大きくなるので、被覆対象物に対してシート本体が位置ずれすることなく安定した状態で固定される。また、被覆対象物に引っ掛けられて二つ折りされた状態のシート本体において、対向するシート本体の周縁部を把持して、互いに異なる方向に引き離すようにすれば、被覆対象物に対して位置合わせするためのシート本体の位置変更、および、被覆対象物に対するシート本体の取り外しを容易に行うことができる。
【００２３】
また、本発明に係る防護用シートの他態様として、前記粘着層は、ゲル状の粘着シートで構成されることが好ましい。
【００２４】
この場合、粘着層が、ゲル状の粘着シートで構成されることから、シート本体の柔軟性をより一層確保できるようになり、風圧の影響を受けにくく、皺を生じることなく、常に安定した状態で被覆対象物をきれいに、かつ、確実に覆うことができる。
【発明の効果】
【００２５】
本発明によれば、シート本体の柔軟性を確保しつつ、シート本体に設けた着脱部位を位置合わせすることなく、容易に繰り返し着脱できて、シート本体を被覆対象物に密着させて、被覆対象物を確実に被覆することができる。
【図面の簡単な説明】
【００２６】
【図１】（ａ）は、本発明の一実施形態に係る防護用シートの平面図、（ｂ）は、図１（ａ）の要部の拡大断面図。
【図２】同実施形態に係る防護用シートを被覆対象物に被覆する際に使用する間接活線工事用把持具の構成を示す図。
【図３】同実施形態に係る防護用シートの使用態様を示す図であり、間接活線工事用把持具を用いて、防護用シートを被覆対象物の近傍に持ち上げた状態を示す図。
【図４】同実施形態に係る防護用シートの使用態様を示す図であり、防護用シートを被覆対象物に被せた状態を示す正面図。
【図５】図４の側面図。
【図６】同実施形態に係る防護用シートの使用状態を示す図であり、対向する粘着層を粘着させて、被覆対象物に対して防護用シートを固定する状態を示す正面図。
【図７】図６の側面図。
【図８】従来の防護用シートを示す図。
【図９】他の従来の防護用シートを示す図。
【図１０】（ａ）〜（ｄ）は、図９に示す防護用シートの使用態様を示す図。
【発明を実施するための形態】
【００２７】
本発明の実施形態に係る防護用シートについて図１〜図７を参照しながら説明する。なお、本実施形態においては、被覆対象物として、電柱の配電線に設けられた引下線用コネクタカバーを例にとって説明する。
【００２８】
本実施形態に係る防護用シートについて図１を参照して説明する。該防護用シート１は、矩形状に切断加工されたシート本体２と、該シート本体２の周縁部を除く部位の全体に設けた、シート本体２が縮小された形状の粘着層３とを備えている。
【００２９】
シート本体２は、平面視正方形状または矩形状に切断加工され、合成繊維布と、該合成繊維布にコーティングされた絶縁良好な合成樹脂との多層構造に構成されている。また、シート本体２は、長手方向の中心線に沿って折り目Ａが形成されている。また、シート本体２は、０．８ｍｍ程度の厚さ寸法を有している。
【００３０】
粘着層３は、０．３ｍｍ程度の厚さ寸法を有する、ゲル状の粘着シートで構成されている。したがって、粘着層３は、面ファスナに比較して柔軟性があるため、シート本体２の柔軟性が確保されることになり、シート本体２と被覆対象物との間に隙間が形成されることがなく、風圧の影響を受けにくくなっている。これにより、シート本体２の装着時、シート本体２に皺が生じることなく、常に安定した状態で被覆対象物をきれいに、かつ、確実に覆うことができる。また、粘着層３であることから、繰り返し着脱できるとともに、シート本体２を被覆対象物に直接接着することができる。よって、粘着層３は、粘着層３同士の着脱と、シート本体２および被覆対象物に対する着脱とを、繰り返し容易に行うことができるので、被覆対象物への引っ掛け作業、被覆対象物に引っ掛けた際の、被覆対象物に対するシート本体２の位置合わせ、被覆対象物に引っ掛けられて二つ折りされた状態における、対向する粘着層３の位置合わせを容易に行うことができる。
【００３１】
また、粘着層３は、耐水性も有しており、水洗いしてもよく、被覆対象物に装着した後も、雨水によって粘着性が失われることはない。また、粘着層３は、絶縁性を有しているため、被覆対処物を絶縁保護することができる。
【００３２】
また、粘着層３が粘着シートであることから、被覆対象物に対する接触面積が大きく、被覆対象物に対してシート本体２が位置ずれすることなく安定した状態に維持できる。また、被覆対象物に引っ掛けられて二つ折りされた状態のシート本体２において、対向するシート本体２の周縁部を把持して、互いに異なる方向に引き離すようにすれば、被覆対象物に対するシート本体２の位置変更、および、被覆対象物に対するシート本体２の取り外しを容易に行うことができる。
【００３３】
ここで、間接活線工事用把持具および被覆対象物（電柱の配電線に設けられた引下線用コネクタカバー）の構成について簡単に説明する。間接活線工事用把持具４は、図２に示すように、支持棒４０の基端部（手元）に配置される操作部４１と、支持棒４０の先端部に配置される把持部４２と、操作部４１の操作によって把持部４２が開閉するように、操作力を伝達する伝達棒４３とを備えている。
【００３４】
そして、操作部４１を操作すると、その操作力が伝達棒４３を介して、把持部４２に伝達され、把持部４２が開閉するように構成されている。引下線用コネクタカバー５は、図３および図５に示すように、ヒンジ部５０を介して開閉自在に連結される一対のカバー体５１，５１と、電線Ｃを引き込むための挿入筒部５２および電線Ｃを引き出すための引出筒部５３とを備えている。
【００３５】
つぎに使用態様について図３〜図７を参照して説明する。まず、防護用シート１を二つ折りにした状態で、その折り目Ａから垂れ下がった両側部を、２つの間接活線工事用把持具４，４の把持部４２，４２で把持して、防護用シート１を上方に引っ張り上げて、電柱の引下線用コネクタカバー５の近傍に配置する。
【００３６】
つぎに、２つの間接活線工事用把持具４，４を用いて、図４に示すように、防護用シート１の折り目Ａを、引下線用コネクタカバー５に引っ掛けるようにする。この際、図５に示すように、二つ折りされた一方のシート本体２の粘着層３の上側部が、引下線用コネクタカバー５の背面に密着する一方、二つ折りされた他方のシート本体２の粘着層３の上側部が、引下線用コネクタカバー５の正面に密着する。このため、風の影響を受けたとしても、２つの間接活線工事用把持具４，４を用いて、防護用シート１を引下線用コネクタカバー５に引っ掛けた状態に維持する必要はない。
【００３７】
また、図５の状態においては、二つ折りされた一方のシート本体２が引下線用コネクタカバー５の背面側に垂れ下がって位置し、二つ折りされた他方のシート本体２が引下線用コネクタカバー５の正面側に垂れ下がって位置することになる。そして、シート本体２の垂れ下がった長さは、引下線用コネクタカバー５よりも十分な大きさを有している。すなわち、シート本体２は、引下線用コネクタカバー５に覆い被さって、引下線用コネクタカバー５を確実に絶縁保護することができる。
【００３８】
つぎに、２つの間接活線工事用把持具４，４を用いて、二つ折りされた一方のシート本体２の周縁部と、二つ折りされた他方のシート本体２の周縁部とが揃うように、引下線用コネクタカバー５に引っ掛けられた状態のシート本体２の位置調整を行う。そうすることで、引下線用コネクタカバー５に対して、シート本体２が皺を生じることなく、引下線用コネクタカバー５をきれいに被覆することができる。
【００３９】
その後、図６に示すように、二つ折りされたシート本体２の粘着層３が引下線用コネクタカバー５に密着するように、かつ、二つ折りされたシート本体２の対向面が密着するようになる。具体的には、２つの間接活線工事用把持具４，４の把持部４２，４２を開閉したり、２つの間接活線工事用把持具４，４によって、垂れ下がったシート本体２の両側を外部から満遍なく押圧して、防護用シート１の粘着層３同士、または、シート本体２と粘着層３とを外部から押圧して粘着させる。
【００４０】
そうすることで、引下線用コネクタカバー５に対して、防護用シート１が密着した状態で、引下線用コネクタカバー５を覆い被さることになる（図７参照）。したがって、引下線用コネクタカバー５の表面とシート本体２の内面とにほとんど隙間がなく、風圧の影響で、シート本体２が位置ずれすることがない。位置ずれすることがないので、引下線用コネクタカバー５をシート本体２によって確実に絶縁保護できるようになる。
【００４１】
作業終了後、引下線用コネクタカバー５から防護用シート１を取り外す場合、垂れ下がったシート本体２の両側の周縁部を、２つの間接活線工事用把持具４，４の把持部４２，４２によって把持しつつ、互いに異なる方向に引っ張って、引下線用コネクタカバー５からシート本体２を取り外す。
【００４２】
このように、本実施形態の防護用シートによれば、シート本体２の周縁部を除く部位全体に粘着層３を設けることで、シート本体２の柔軟性が確保されるとともに、容易に繰り返し着脱できて、被覆対象物５に対する接着面積も大きくなり、シート本体２を被覆対象物５に確実に被覆できるようになる。そうすることで、被覆対象物５に引っ掛けた状態の防護用シート１の維持が不要になる。また、被覆対象物５への引っ掛け作業、被覆対象物５に引っ掛けた際の、被覆対象物５に対するシート本体２の位置合わせが容易になる。また、被覆対象物５に引っ掛けられて二つ折りされた状態における、対向する粘着層３の位置合わせが容易になる。したがって、間接活線工事用把持具４に対する作業者の熟練度に関係なく、防護用シート１を被覆対象物５に容易にかつ短時間に固定することができる。
【００４３】
なお、本発明に係る防護用シートは、前記実施の形態に限定することなく種々変更することができる。
【００４４】
例えば、前記実施形態の場合、平面視矩形状のシート本体２としたが、これに限定されるものではなく、例えば、円形や、楕円、五角形などの非円形のシート本体であってもよい。
【００４５】
また、前記実施形態の場合、シート本体２に対して、シート本体２の周縁部を除く位置（中央部）に粘着層３を配置するようにしたが、これに限定されるものではなく、シート本体２の周縁部のみに配置してもよく、シート本体２の全面に、ドット状、格子状、千鳥状のうち、いずれかに配置するようにしてもよい。
【符号の説明】
【００４６】
１…防護用シート、２…シート本体、３…粘着層、４…間接活線工事用把持具、５…被覆対象物（引下線用コネクタカバー）、Ａ…折り目、Ｃ…電線
【図１】
2015035859.tif 000003
【図２】
2015035859.tif 000004
【図３】
2015035859.tif 000005
【図４】
2015035859.tif 000006
【図５】
2015035859.tif 000007
【図６】
2015035859.tif 000008
【図７】
2015035859.tif 000009
【図８】
2015035859.tif 000010
【図９】
2015035859.tif 000011
【図１０】
2015035859.tif 000012